(57)【要約】  本発明は使用者が洗濯機と乾燥機の内部を観察し易く、洗濯物の収納を容易にする洗濯機と乾燥機に関するものである。このために本発明は前方に開口部５１が形成されたキャビネット５２と、キャビネット５２の内側に設置されるタブ５４と、タブ５４の内部にモータ５６によって回転軸５７を中心として回転可能に設置されたドラム６０と、開口部５１に設置され、上部が洗濯機の内側に傾くドア７０を備える洗濯機を提供する。本発明による乾燥機もこのような洗濯機と類似の構成を有する。
2005514995.tif 000002
【特許請求の範囲】
【請求項１】
前方に開口部が形成されたキャビネットと、
前記キャビネットの内側に設置され、洗濯水を保持するタブと、
前記タブの内部にモータによって回転軸を中心として回転可能に設置されたドラムと、
前記開口部に設置されて、上部が洗濯機の内側に傾斜したドアとを備えた洗濯機。
【請求項２】
前記開口部に接したキャビネット部分が、垂直面に対して傾くように形成されたことを特徴とする請求項１に記載の洗濯機。
【請求項３】
前記開口部が形成された前記キャビネットの前面が垂直面に対して傾くように形成されたことを特徴とする請求項１に記載の洗濯機。
【請求項４】
前記タブと前記ドラムは水平面に対して傾くように設置されたことを特徴とする請求項１に記載の洗濯機。
【請求項５】
前記開口部は円形に形成されて、前記ドアは開口部の形状に対応する形状で設置されたことを特徴とする請求項１に記載の洗濯機。
【請求項６】
前記ドアはリング形状を成すドアフレームと、
前記ドアフレームの中央に設置されて使用者がドラムの内部を観察可能とするドアガラスを備えたことを特徴とする請求項１に記載の洗濯機。
【請求項７】
前記ドアフレームはチャンネル形状の断面を持ち、前記断面の内側には収容部が形成されたことを特徴とする請求項６に記載の洗濯機。
【請求項８】
前記ドアガラスの縁部分は外側に折り曲げられてドアフレームの収容部に挟まれる延長部が形成されたことを特徴とする請求項７に記載の洗濯機。
【請求項９】
。
前記ドアガラスはその中央部が洗濯機の内側に向かって凹んで形成される凹部を含んで形成されたことを特徴とする請求項６に記載の洗濯機。
【請求項１０】
前記ドアガラスの凹部にはドラムと干渉しないように傾斜面が形成されたことを特徴とする請求項９に記載の洗濯機。
【請求項１１】
前方に開口部が形成されたキャビネットと、
キャビネットの内部に設置されてモータによって回転軸を中心として回転可能なドラムと、
キャビネット内部の洗濯物を乾燥させるための熱気を発生させる乾燥ヒータと、
乾燥ヒータから発生した熱気をドラム内部に流入させる送風装置と、
開口部に設置され、上部が洗濯機の内側へ傾斜したドアとを備えた乾燥機。
【請求項１２】
前記開口部に接したキャビネット部分が垂直面に対して傾くように形成されたことを特徴とする請求項１１に記載の乾燥機。
【請求項１３】
前記開口部が形成されたキャビネットの前面が垂直面に対して傾くように形成されたことを特徴とする請求項１１に記載の乾燥機。
【請求項１４】
前記ドラムは水平面に対して傾くように設置されたことを特徴とする請求項１１に記載の乾燥機。
【請求項１５】
前記開口部は円形に形成されて、前記ドアは開口部の形状に対応する形状で設置されることを特徴とする請求項１１に記載の乾燥機。
【請求項１６】
前記ドアはリング形状を成すドアフレームと、
前記ドアフレームの中央に設置されて使用者がドラムの内部を観察可能にするドアガラスを備えたことを特徴とする請求項１１に記載の乾燥機。
【請求項１７】
前記ドアフレームはチャンネル形状の断面を持ち、前記断面の内側には収容部が形成されたことを特徴とする請求項１６に記載の乾燥機。
【請求項１８】
前記ドアガラスの縁部分は外側に折り曲げられて前記ドアフレームの収容部に挟まれる延長部が形成されたことを特徴とする請求項１７に記載の乾燥機。
【請求項１９】
前記ドアガラスはその中央部が洗濯機の内側に向かって凹んで形成される凹部を備えたことを特徴とする請求項１６に記載の乾燥機。
【請求項２０】
前記ドアガラスの凹部にはドラムと干渉しないように傾斜面が形成されたことを特徴とする請求項１９に記載の乾燥機。
【発明の詳細な説明】
【技術分野】
【０００１】
本発明は洗濯機及び乾燥機に関するもので、更に詳しくは洗濯機及び乾燥機のドアに関するものである。
【背景技術】
【０００２】
一般的に、洗濯機は水槽に洗濯物と洗剤が装入されて水流と洗濯物の摩擦によって洗濯物の洗浄動作を行う装置である。そして、乾燥機は乾燥ヒータから発生した熱気を、洗濯物が収容された収容空間内に送風して洗濯物を乾燥させる装置である。
【０００３】
洗濯機と乾燥機は構造的な特徴によって多様な方式に分けられ、以下では説明の便宜のためにドラムの回転軸が水平に配置されるドラム型洗濯機と乾燥機のみについて説明する。
【０００４】
図１は従来技術によるドラム洗濯機の主要部を図示す、側方から見た断面図である。
【０００５】
図１を参照すると、従来技術による洗濯機は正面に開口部１が形成されたキャビネット２と、キャビネット２の内側に設けられるタブ４とドラム１０を備えている。
【０００６】
タブ４には洗濯水が保持され、タブ４の内側には、水平回転軸７を中心として回転可能に設置され、洗濯物及び洗剤が装入されるドラム１０が装着される。
【０００７】
タブ４とキャビネット２との間の空間には、ドラム１０の回転時に緩衝作用を行うサスペンション８が更に含まれる。
【０００８】
モータ６は図示したように、ドラム１０の後面部に装着されて水平回転軸７に直接的に連結することができるが、キャビネット２の下部に装着されて水平回転軸７とモータの駆動軸とをベルトなどを使って連結することもできる。
【０００９】
また、ドラム１０はキャビネット２ 及びタブ４と等しい方向に開口し、後面外壁にはモータ６の回転軸７が設置される。モータ６の回転軸７の端部には三角形のスパイダ９を設けることができ、スパイダ９はドラム１０の後面外壁に締結される。
【００１０】
これによって、モータ６が駆動されることにより、ドラム１０が水平方向の回転軸７を中心として回転しながら洗濯物を洗濯する。
【００１１】
そして、ドラム１０には内壁から回転中心に向かって突き出す多数のリフタ１２が設置されており、ドラム１０が回転する時に洗濯物を上側に引き上げることにより、洗濯物の流動を増加させて洗濯效果を向上させる。
【００１２】
一方、乾燥機は洗濯機と類似した構成を持っているが、洗濯水は供給されず、洗濯を終えた洗濯物を乾燥させる装置である。乾燥機では洗濯機に使われるターボが必ずしも必要ではなく、ドラム１０は洗濯機に比べて一般的に遅く回転する。また、乾燥機は洗濯物の乾燥のための乾燥ヒータ(図示せず)及び乾燥ヒータから発生した熱気をドラム内に供給する送風装置(図示せず)を更に備える。乾燥機は乾燥ヒータから発生した熱気として洗濯物の水分を蒸発させて外部に排出させて乾燥作業を行う。
【００１３】
図２は従来技術によるドラム洗濯機と乾燥機のドア２０の装着構造を図示す、側方から見た断面図である。
【００１４】
キャビネット２の開口部１にはドア２０が設けられて開口部１を開閉できるようになっており、ドア２０はドアフレーム２２とドアガラス２４を含む。ドアフレーム２２は正面から見た時、円形に形成され、開口部１の片側に回転可能に固定される。また、ドアガラス２４は、使用者がドラム１０の内部を観察できるように、フレーム２２の中央に設けられる。
【００１５】
ドアフレーム２２は開口部１に設置され、中央にドアガラス２４が装着される。
【００１６】
しかし、このような洗濯機及び乾燥機用ドア２０は図示したように使用者に比べて低く設置され、 また洗濯機及び乾燥機が置かれるフロアに垂直に設けられる。すなわち、ドア２０は使用者及びキャビネット２の前面でそれぞれ水平になる。よって、使用者は姿勢を低くして洗濯物を洗濯機及び乾燥機に入れなければならないので実質的に不便であった。
【発明の開示】
【発明が解決しようとする課題】
【００１７】
本発明は上述した従来技術の問題点を解決するためになされたもので、使用者がドラムの内部を観察しやすく、洗濯物の収納が容易な洗濯機と乾燥機を提供することを目的とする。
【課題を解決するための手段】
【００１８】
このような目的を達成するための本発明の一形態によれば、前方に開口部が形成されたキャビネットと、前記キャビネットの内側に設置され、洗濯水を保持するタブと、前記タブの内部にモータによって回転軸を中心として回転可能に設置されたドラムと、前記開口部に設置されて、上部が洗濯機の内側に傾斜したドアとを備えた洗濯機が提供される。
【００１９】
一方、本発明の他の一形態によれば、前方に開口部が形成されたキャビネットと、キャビネットの内部に設置されてモータによって回転軸を中心として回転可能なドラムと、キャビネット内部の洗濯物を乾燥させるための熱気を発生させる乾燥ヒータと、乾燥ヒータから発生した熱気をドラム内部に流入させる送風装置と、開口部に設置され、上部が洗濯機の内側へ傾斜したドアとを備えた乾燥機が提供される。
【００２０】
このような本発明の乾燥機及び洗濯機において、前記開口部に接したキャビネット部分が垂直面に対して傾くように、更に開口部が形成されたキャビネットの前面が垂直面に対して傾くように形成することができる。また、タブとドラムは水平面に対して傾くように設けられることが望ましい。
【００２１】
また、開口部は円形に形成され、ドアは開口部の形状に対応する形状で設置される。これによってドアはリング形状を成すドアフレームと、ドアフレームの中央に設置され、使用者がドラムの内部を観察できるドアガラスを含む。
【００２２】
更に詳しくは、ドアフレームはチャンネル（溝）形状の断面を持ち、断面の内側には収容部が形成される。ドアガラスの縁部分は外側に折り曲げられてドアフレームの収容部に挟まれる延長部が形成される。また、前記ドアガラスはその中央部が洗濯機の内側に向かって凹んで形成される凹部を備える。ここで前記ドアガラスの凹部にはドラムと干渉しないように傾斜面が形成されることが望ましい。
【発明の効果】
【００２３】
上述した本発明によって、使用者は洗濯機及び乾燥機の内部を容易に確認することができ、洗濯機や乾燥機の内部への洗濯物の装入を容易に行うことができる。
【発明を実施するための最良の形態】
【００２４】
以下、目的を具体的に実現することができる本発明の実施例を、添付図面を参照して詳しく説明する。
【００２５】
図３は本発明によるドア７０の装着構造を図示した側断面図である。
【００２６】
図３から明らかなように、本発明によるドア７０は開口部５１に上部が内側へ傾くように装着される構造を有している。
【００２７】
このために、ドア７０が設置される開口部５１に接したキャビネット５２部分が垂直面に傾くように形成される。すなわち、ドア７０の設置される部分は開口部上側５１ａが開口部下側５１ｂと比べてキャビネット５２内側に更に陥入して開口部５１が傾くように形成される。
【００２８】
したがって、ドア７０は垂直面に対して傾いた状態で開口部７０に装着されるものである。
【００２９】
図３は開口部５１に接したキャビネット５２の一部分が内側に凹んでいる形態で傾くように形成された構造を示す。開口部５１と接した部分を除いた部分としてキャビネット５２前面の上部と下部が突き出している状態が示されている。
【００３０】
図示した構造と異なる形態として、開口部５１が形成されたキャビネット５２の前面が垂直面に対して傾くように形成することができる。すなわち、図３においてキャビネット５２前面の上部と下部の突き出した部分を取除いて全体的に平面として傾いた形状を成すようにするものである。
【００３１】
そして、開口部５１は円形に形成され、ドア７０は開口部５１の形状に対応する形状で設置されることが望ましい。
【００３２】
一般的に、ドラムの断面は円形となっているので洗濯物の搬入と搬出を容易にするために開口部５１の形状もドラム断面の形状に対応するように円形に形成される。
【００３３】
そして、ドア７０は使用者がドラム６０の内部を観察するように中央にホールが形成されたリング状を成すドアフレーム７２と、ドアフレーム７２の中央に設置されて使用者がドラムの内部を観察できるようにするドアガラス７６を備える。
【００３４】
ドアフレーム７２とキャビネット５２の開口部５１の間に設置されてドア７０の開閉を行うように、開口部５１の片側にドアフレーム７２を回転可能に連結させる連結部材(図示せず)が更に設けられる。
【００３５】
ドア７０の構造に関して更に詳細に説明すれば、ドアフレーム７２は溝形状の断面を持ち、断面の内側には収容部７４が形成される。
【００３６】
図３から明らかなように、 ドアフレーム７２は断面がチャンネル形状であるリングで構成され、ドアフレーム７２断面には半径方向に収容部７４が形成されている。
【００３７】
そして、ドアガラス７６の縁部分は外側に折り曲げられてドアフレーム７２の収容部７４に挟まれる延長部７８が形成されている。
【００３８】
すなわち、ドアガラス７６も円形に形成されてその縁部分に形成された延長部７８が、前述したドアフレーム７２に形成された収容部７４に挿入される。  
また、挿入された部分でドアフレーム７２とドアガラス７６の接触部分は防水処理がされてドア７０の組立てを完成する。
【００３９】
そして、図３から明らかなようにドアガラス７６はその中央部が洗濯機内側に向けて凹んで形成される凹部を含んで形成され、凹部にはドラムと干渉しないように面取り形状をなす傾斜面７９が形成されることが望ましい。
【００４０】
図示したように、ドアガラス７６は容器模様のように、ドアグラスの中央部が洗濯機の内側に陥没している形状を成すべく、洗濯機または乾燥機の内側に凹んで形成される。
【００４１】
そして、ドアガラス７６はその上側がドアガラス７６の下側に比べて開口部５１の内側に位置するので、ドアガラス７６の上側が面取りされた形状に折り曲げられた傾斜面７９が形成されて開口部５１の内側でドラムなどと干渉が発生することを防止する。
【００４２】
以下、前述した本発明のドア７０装着構造が適用された洗濯機を一実施例として添付された図面を参照して詳しく説明する。
【００４３】
図４は本発明によるドラム洗濯機の主要部が図示した側断面図である。
【００４４】
図４から明らかなように、本発明によるドラム洗濯機は前方に開口部５１が形成されたキャビネット５２と、キャビネット５２の内側に設置されて洗濯水が保持されるタブ５４と、タブ５４の内部にモータ５６によって回転軸５７を中心として回転可能なドラム６０と、開口部５１に設置されて、上部が洗濯機の内側へ傾くドア７０とを備える。
【００４５】
そして、サスペンション５８がタブ５４の外壁とキャビネット５２内壁の間に設置され、タブ５４がキャビネット５２の内部に一定量流動可能に支持されるようにし、モータ５６はドラム６０の回転軸５７に繋がれてタブ５４の後面を貫いてタブ５４の後面外壁に設けられる。
【００４６】
モータ５６と回転軸５７との連結は図示したように直接的に連結されもするが、モータがキャビネット５２の下部に装着されモータと回転軸５７をベルトなどを使って連結することもできる。
【００４７】
また、開口部５１は洗濯物を出し入れしやすいようにドラム６０の断面に対応した円形に形成され、ドア７０は開口部５１を開閉するために開口部５１の形状に対応した円形で設置されることが望ましい。
【００４８】
図４から明らかなように、タブ５４ 及びドラム６０は水平面に対して一定角度傾斜を成しており、これによってドラム６０の回転軸も等しい角度で傾斜を成している。
【００４９】
ドア７０が傾いた構造を成す場合、タブ５４とドラム６０は水平面に傾くように設置されることが望ましい。タブ５４とドラム６０を傾けるように設置することで使用者が洗濯物をドラム６０ 内部に更に容易に搬入することができ、洗濯作業の中にドラム６０内部を観察できるようにする。
【００５０】
また、ドラム６０の開口面５１とドアガラス７６は相互間に干渉しないように一直線に配置されることが望ましく、このためにドア７０が傾くように装着される場合、ドラム６０も傾くように配置しなければならない。
【００５１】
しかし、本発明ではタブ５４ 及びドラム６０が必ず水平面に対して傾いた状態に限定せずに、 タブ５４ 及びドラム６０が水平で設置された場合でもドア７０が傾いた構造で装着されることができる。
【００５２】
ドア７０は図３で図示したようにドアフレーム７２とドアガラス７６とからなる。ドアガラス７６の上側が下側に比べて開口部５１の内側に位置するので、ドアガラス７６の上側に面取りされた形状で折り曲げられた傾斜面７９が形成され、開口部５１の内側に設置された装置との干渉が発生することを防止する。
【００５３】
すなわち、図４ではドラム６０及びタブ５４とドア７０の設置方向が略一直線なので面取りされた形状で形成された傾斜面７９は必要ないかも知れない。
【００５４】
しかし、ドア７０の傾斜がドラム６０ 及びタブ５４の傾斜より大きい場合や、ドラム６０及びタブ５４がほとんど水平に設置されてドア７０が傾くように設置される場合には、ドアガラス７６の上側がドラム６０の内部に陥没してドラム６０ 内部に設置された装置との干渉が起り得るので、ドアガラス７６の上側の一部分に面取りされた形状に折り曲げられた傾斜面７９を配置することで干渉を防止することができる。  
そして、本発明のドア７０装着構造が適用された他の実施例として、乾燥機に関して添付図面を参照して詳しく説明する。
【００５５】
図５は本発明によるドラム乾燥機の主要部を図示した側断面図である。
【００５６】
図５から明らかなように、本発明による乾燥機は前方に開口部５１が形成されたキャビネット５２と、キャビネット５２の内部にモータ５６によって回転軸５７を中心として回転可能なドラム６０と、キャビネット５２ 内部の洗濯物を乾燥させるための熱気を発生させる乾燥ヒータ８０と、 乾燥ヒータ８０から発生した熱気を送風する送風装置と、開口部５１に設置され、上部が洗濯機の内側に傾くドア７０を備える。
【００５７】
前述した洗濯機の場合と同じように、乾燥機でもドア７０が傾斜した構造を成す場合、ドラム６０は水平面に傾斜して設置されることが望ましい。ドラム６０を傾けるように設置することで使用者が洗濯物をドラム６０内部に更に容易に装入することができ、乾燥作業中にドラム内部を観察することが可能となる。
【００５８】
乾燥機にも洗濯機と同じようにタブ５４が装着される場合もあり、このような場合には洗濯と乾燥を同時に遂行することができる。
【００５９】
ここで、送風装置は乾燥ヒータ８０から発生した熱気をドラム６０内部で対流させる送風ファン８１と、対流する熱気の流路として機能する送風ダクト８２を備える。
【００６０】
乾燥過程をより詳しく説明すれば、送風ダクト８２を通じて流入した熱気は洗濯物に存在する水分を蒸発させて、蒸発した水分を対流作用及び排気口(図示せず)を通じて外部に放出させながら洗濯物を速かに乾燥させるようになる。
【００６１】
一般的に、乾燥機は洗濯物の乾燥に使われた熱気をドラム６０の外部に直ちに放出させる排気式と、ドラム６０から放出される熱気を凝縮させて熱気内の水分だけを取除いて循環させ、更に加熱してドラム６０内へ流入する凝縮式とに分けられる。
【００６２】
排気式乾燥機は排気ダクト(図示せず)だけを追加して具備すれば良いが、凝縮式乾燥機は、循環ファン(図示せず)と凝縮装置(図示せず)を更に備えなければならない。
【００６３】
そして、サスペンション５８がタブ５４の外壁とキャビネット５２の内壁の間に設置されてタブ５４がキャビネット５２の内部に一定量揺動可能に支持されるようにする。また、モータ５６はドラム６０の回転軸５７に連結されてタブ５４の後面を貫いてタブ５４の後面外壁に設けられる。
【００６４】
乾燥機のドラム６０は一般的に、洗濯機に比べて遅く回転する。モータ５６と回転軸５７の連結は図示したように直接的に繋げることができ、モータをキャビネット５２の下部に装着し、モータと回転軸をベルトなどを使って連結することもできる。
【００６５】
図４から明らかなように、タブ５４ 及びドラム６０は水平面に対して一定角度傾斜しており、これによってドラム６０の回転軸も等しい角度で傾斜を成している。
【００６６】
したがって、ドア７０の装着構造においてもドラム６０の傾斜に対応してドア７０が傾くように装着されることが望ましい。
【００６７】
即ち、洗濯物の出し入れを行うことが便利で、洗濯動作中、ドラム６０内部の観察が容易な構造でありドア７０が垂直面に対して傾いた構造で装着されるものである。
【００６８】
しかし、本発明ではタブ５４及びドラム６０が必ずしも水平面に傾いた状態であることに限定されず、タブ５４ 及びドラム６０を水平に設置した場合でもドア７０が傾いた構造で装着させることができる。
【００６９】
ドア７０が垂直面に傾くように装着するためには前述したように、ドア７０が装着される開口部５１が傾くように形成されなければならない。図３と同様に開口部上側５１ａが開口部下側５１ｂに比べて内側に更に陥没されて開口部５１が傾くように形成される。
【００７０】
したがって、ドアフレーム７２とドアガラス７６からなるドア７０は開口部５１に傾くように装着され、ドア７０の開閉のためにドアフレーム７２の一端は開口部５１の一端と回転可能に結合される。
【００７１】
そして、乾燥機でもドアガラス７６はその上側がドアガラス７６の下側に比べて開口部５１の内側に位置されるため、ドアガラス７６の上側が面取りされた形状に折り曲げられた傾斜面７９が形成されて開口部５１の内側に設置された装置との干渉が発生することを防止する。
【００７２】
さらに、このように構成された本発明によるドラム洗濯機と乾燥機の動作について詳しく説明する。
【００７３】
まず、ドラム洗濯機のドラム６０内部に洗濯物と洗剤を入れて電源を印加すれば、モータ５６が駆動され、回転軸５７及びドラム６０が駆動されて水流を起こし、水流と洗濯物との摩擦によって洗濯作用が行われる。
【００７４】
洗濯が完了した後、洗濯物を乾燥機に入れて電源を印加して乾燥ヒータ８０から発生した熱気を送風ファン８１の駆動によってドラム６０内部に流入させて洗濯物の乾燥を行う。熱気によって洗濯物の水分が蒸発し、蒸気は凝縮装置によって凝縮されて外部に排出されることで洗濯物の乾燥が円滑に行われる。また、洗濯機と乾燥機は一体化して構成することもでき、それぞれ個別的に構成することもできる。
【００７５】
この時、ドラム６０及びドア７０が傾くように設置されるため、使用者は姿勢を低くすることなくドア７０を開放して洗濯物をドラム６０に出し入れすることができ、洗濯または乾燥動作の中にもドラム６０の内部を観察することができる。
【００７６】
以上本発明の好適な一実施態様について説明したが、実施態様に限定されず、本発明の技術思想に基づいて種々の変形が可能である。
【産業上の利用可能性】
【００７７】
上述したように構成される本発明によるドラム洗濯機と乾燥機のドアは、キャビネットの開口部に傾くように装着されることで、使用者が洗濯物を出し入れする時に身体を曲げることなく作業を行うことができるので、便利な洗濯または乾燥作業が行うことができ、洗濯または乾燥作業の中にドラム内部を観察し易いという利点がある。
【図面の簡単な説明】
【００７８】
【図１】従来技術によるドラム洗濯機の主要部を図示した断面図である。
【図２】従来技術による洗濯機と乾燥機のドア装着構造を図示した断面図である。
【図３】本発明によるドラム洗濯機と乾燥機のドア装着構造を図示した断面図である。
【図４】本発明によるドラム洗濯機の主要部を図示した断面図である。
【図５】本発明によるドラム乾燥機の主要部を図示した断面図である。
【図１】
2005514995.tif 000003
【図２】
2005514995.tif 000004
【図３】
2005514995.tif 000005
【図４】
2005514995.tif 000006
【図５】
2005514995.tif 000007
【国際調査報告】
2005514995.tif 000008
2005514995.tif 000009